(57)【特許請求の範囲】
【請求項１】
前身頃の両側部と後身頃の両側部とが接合されたサイドシール部を有し、このサイドシール部には、横方向に沿う所定長さの直線状溶着部が縦方向に間隔を空けて横縞状パターンで並んでおり、ウエスト開口部及び左右一対の脚開口部が形成された、パンツタイプ使い捨ておむつにおいて、
前記サイドシール部における少なくとも一部の縦方向領域では、内方端が隣接溶着部よりも突出する内寄りの溶着部と、外方端が隣接溶着部よりも突出する外寄りの溶着部とが縦方向に互い違いに並び、かつ溶着部２つ又は３つおきに縦方向間隔が相対的に広い大間隔部分を有する互い違いパターンで、前記溶着部が並んでいる、
ことを特徴とするパンツタイプ使い捨ておむつ。
【請求項２】
前記サイドシール部は、ポリプロピレン又はそのコポリマーの不織布のみが積層されたポリプロピレン領域を有しており、
前記互い違いパターンの領域は、前記ポリプロピレン領域に形成されている、請求項１記載のパンツタイプ使い捨ておむつ。
【請求項３】
前記サイドシール部のうちウエスト縁部に前記ポリプロピレン領域を有している、請求項２記載のパンツタイプ使い捨ておむつ。
【請求項４】
前記互い違いパターンにおける各溶着部は横方向長さが１．０〜６．０ｍｍ、かつ縦方向長さが０．４〜１．０ｍｍであり、
前記互い違いパターンにおける隣接溶着部の縦方向間隔は、前記大間隔部分が２．０〜３．５ｍｍで、前記大間隔部分以外の小間隔部分の間隔が１．０〜１．５ｍｍであり、かつ
前記内寄りの溶着部における隣接溶着部に対する突出長さ及び前記外寄りの溶着部における隣接溶着部に対する突出長さがそれぞれ１．０〜３．０ｍｍである、
請求項１〜３のいずれか１項に記載のパンツタイプ使い捨ておむつ。
【請求項５】
前記サイドシール部のうちウエスト縁部に、ポリプロピレン又はそのコポリマーの不織布のみが積層されたポリプロピレン領域を有しており、
前記互い違いパターンの領域は、前記ポリプロピレン領域に形成されており、
前記サイドシール部は、前記ウエスト縁部の脚開口部側全体が前記ポリプロピレン領域でない非ポリプロピレン領域とされており、
前記ポリプロピレン領域から前記非ポリプロピレン領域内までは前記溶着部が前記互い違いパターンで並んでいるとともに、これよりも脚開口部側では、互い違いパターンよりも溶着部の幅が広く且つ溶着部の両端が縦方向に揃った整列溶着部からなる前記溶着部が整列パターンで並んでいる、請求項３記載のパンツタイプ使い捨ておむつ。
【請求項６】
前記溶着接合が超音波シールによってなされている、請求項１〜５のいずれか１項に記載のパンツタイプ使い捨ておむつ。
【発明の詳細な説明】
【技術分野】
【０００１】
本発明は、パンツタイプ使い捨ておむつに関するものである。
【背景技術】
【０００２】
パンツタイプの使い捨ておむつは、液透過性表面シートと裏面側シートとの間に吸収体が介在されてなり、両側部に脚回りギャザーを備え、背側から股間部を通り腹側までを覆うように形成された内装体と、この内装体の外面に張り付けられ、胴回り及び股間部を覆うように形成された外装シートとからなり、外装シートにおける後身頃の両側部と前身頃の両側部とがそれぞれヒートシールや超音波シールにより溶着接合されてサイドシール部が形成され、ウエスト開口部及び脚開口部が予め形成されたパンツタイプ構造となっているものが多い。
【０００３】
このようなパンツタイプ使い捨ておむつにおいては、排泄後などにおいておむつを脱がす際、サイドシールにおける後身頃と前身頃とを引き剥がし、身体から取り除くことが行われる。このため、サイドシールには、装着中に破れないようなシール強度だけでなく、使用後の引き剥がし易さも求められており、従来から様々な技術が提案されている（例えば特許文献１〜８参照）。例えば、特許文献１、２記載の技術は、サイドシール部における素材枚数を考慮したシールパターンを提案している。
【０００４】
このうち、特許文献４に示されるような横方向に沿う直線状（長辺が横方向に沿う長方形状等）のシール部が縦方向に整列されてなる横縞状パターンは、特許文献１，２の図６や特許文献５に示される点状のシール部が千鳥状等の配列で形成されるドットパターンと比較して、不織布の繊維屑が付着し難く、また付着した繊維屑を取り除きやすい、装着中に誤って破れにくい、設備コストがローコストである、等の利点があり、その点では好ましいものである。
【先行技術文献】
【特許文献】
【０００５】
【特許文献１】特開２０１０−１１５４２４号公報
【特許文献２】特開２０１０−１１９５７７号公報
【特許文献３】特開２０００−３１６８９８号公報
【特許文献４】特開２００３−３８５７３号公報
【特許文献５】特開２００２−３６９８４２号公報
【特許文献６】特開平１０−１３７２８７号公報
【特許文献７】特開２００３−２４３８１号公報
【特許文献８】特開２００２−２７２７８５号公報
【特許文献９】特開２００３−１４４４９４号公報
【特許文献１０】特開平１１−１４０７０６号公報
【発明の概要】
【発明が解決しようとする課題】
【０００６】
しかし、サイドシール部の素材によっては、従来の横縞パターンでは装着中の十分な強度と引き剥がし容易性とを両立させることが困難であった。例えば、ウエスト縁部のサイドシール部に、ポリプロピレン（以下ＰＰともいう）又はそのコポリマーの不織布のみを積層した部分があると、この部分におけるシール強度が他の部位の数倍になってしまう。このような過度の強度差に対して、横縞状パターンのシール面積を調整するだけで引き剥がし易くすると装着中に破れ易くなる。
そこで、本発明の主たる課題は、横縞状パターンの利点を損ねることなく、装着中の十分な強度と引き剥がし容易性とを両立させることにある。
【課題を解決するための手段】
【０００７】
上記課題を解決した本発明は次記のとおりである。
＜請求項１記載の発明＞
前身頃の両側部と後身頃の両側部とが接合されたサイドシール部を有し、このサイドシール部には、横方向に沿う所定長さの直線状溶着部が縦方向に間隔を空けて横縞状パターンで並んでおり、ウエスト開口部及び左右一対の脚開口部が形成された、パンツタイプ使い捨ておむつにおいて、
前記サイドシール部における少なくとも一部の縦方向領域では、内方端が隣接溶着部よりも突出する内寄りの溶着部と、外方端が隣接溶着部よりも突出する外寄りの溶着部とが縦方向に互い違いに並び、かつ溶着部２つ又は３つおきに縦方向間隔が相対的に広い大間隔部分を有する互い違いパターンで、前記溶着部が並んでいる、
ことを特徴とするパンツタイプ使い捨ておむつ。
【０００８】
（作用効果）
一般にパンツタイプ使い捨ておむつのサイドシール部を引き剥がすには、ウエスト開口部から前身頃側及び後身頃側にそれぞれ手を入れて、サイドシール部の前身頃側及び後身頃側を掴み、前身頃と後身頃とを離すように引っ張る。これにより、先ず、手で掴んだ縦方向領域に含まれる複数の溶着部が内方端から外方端に向かって剥がされる。このとき、剥離部分と非剥離部分との境界である剥離線は略縦方向に沿っており、複数の溶着部は略同じ横方向位置で剥がれていく。次に、この手掴み部分の溶着部が剥がされると、手掴み部分の位置よりも脚開口部側に力が加わるようになり、剥離線は外側に倒れていき、途中からは略横向きとなる。
したがって、従来のような整列した横縞状のパターンでは、剥離線が倒れて横向きになるまでは一度に多数の溶着部を剥がす必要があり、素材等の影響によって溶着部の強度が強くなると、引き剥がし易さが損なわれる。
これに対して、上述のような互い違いパターンのサイドシール部を引き剥がす場合、剥離線の向きが縦方向のときには内寄りの溶着部のみが先に剥離し、次に内寄りの溶着部及び外寄りの溶着部の両方、最後に外寄りの溶着部のみが剥離する。よって、引き剥がし開始時及び終了時の剥離力は弱くて済む。また、溶着部は剥離開始時に最も強い力が必要となり、一度剥離し始めると残りの部分は比較的に弱い力で剥離が進行するため、内寄りの溶着部及び外寄りの溶着部の両方を剥離する際も比較的に弱い力で剥離が進行する。
また、剥離線の向きが倒れていくときにも、剥離線が一度に横切る溶着部の本数（つまり一度に剥離する溶着部の本数）の多い状態が、従来の整列した横縞状のパターンよりも短いため、剥離に要する力が弱くて済むような感覚が得られる。
さらに、サイドシール部の全幅の割には各溶着部の横方向長さが短くなるため、剥離線の向きがある程度まで横向きになり、剥離線が一度に横切る溶着部の本数（つまり一度に剥離する溶着部の本数）が一本になった状態でも、同じサイドシール部幅の従来の整列した横縞状のパターンと比較するならば弱い力で引き剥がすことができる。
しかも、サイドシール部の全幅は広く確保でき、全体としてのシール面積も十分に広く確保できるため、装着中の誤剥離も防止し易い。もちろん、互い違いパターンにしてもパターン自体は横縞状であるため、不織布の繊維屑が付着し難く、また付着した繊維屑を取り除きやすい、装着中に誤って破れにくい、設備コストがローコストである、等の利点を損ねることもない。
このように、本発明によれば、横縞状パターンの利点を損ねることなく、装着中の十分な強度と引き剥がし容易性とを両立できるようになる。
また、大間隔部分を有していると、剥離線の向きが倒れていくときに、剥離線が一度に横切る溶着部の本数（つまり一度に剥離する溶着部の本数）の多い状態が更に短くなり、より弱い力で剥離が進行する感覚が得られる。
【０００９】
＜請求項２記載の発明＞
前記サイドシール部は、ポリプロピレン又はそのコポリマーの不織布のみが積層されたポリプロピレン領域を有しており、
前記互い違いパターンの領域は、前記ポリプロピレン領域に形成されている、請求項１記載のパンツタイプ使い捨ておむつ。
【００１０】
（作用効果）
ポリプロピレン又はそのコポリマーの不織布は伸び易く柔軟な肌触りが得られるため好ましい素材であるが、前述したとおり、サイドシール部にこのようなポリプロピレン領域があると当該領域のシール強度が他の部位の数倍になるとともに、素材が伸び易いため力が加わりにくくなってしまう。よって、本発明の互い違いパターンは、このようなポリプロピレン領域に採用するのが望ましい。
【００１１】
＜請求項３記載の発明＞
前記サイドシール部のうちウエスト縁部に前記ポリプロピレン領域を有している、請求項２記載のパンツタイプ使い捨ておむつ。
【００１２】
（作用効果）
サイドシール部の引き剥がし容易性において、引き剥がし開始時の剥離しやすさは極めて重要である。よって、ウエスト縁部にポリプロピレン領域を有し、シール強度が高くなっていると、ユーザーは非常に引き剥がし難く感じるようになる。よって、本発明の互い違いパターンは、このようなウエスト縁部のポリプロピレン領域に採用するのが望ましい。
【００１３】
＜請求項４記載の発明＞
前記互い違いパターンにおける各溶着部は横方向長さが１．０〜６．０ｍｍ、かつ縦方向長さが０．４〜１．０ｍｍであり、
前記互い違いパターンにおける隣接溶着部の縦方向間隔は、前記大間隔部分が２．０〜３．５ｍｍで、前記大間隔部分以外の小間隔部分の間隔が１．０〜１．５ｍｍであり、かつ
前記内寄りの溶着部における隣接溶着部に対する突出長さ及び前記外寄りの溶着部における隣接溶着部に対する突出長さがそれぞれ１．０〜３．０ｍｍである、
請求項１〜３のいずれか１項に記載のパンツタイプ使い捨ておむつ。
【００１４】
（作用効果）
本発明の互い違いパターンの寸法及び位置は適宜定めることができるが、乳幼児用途では上述の範囲内とするのが好ましい。
【００１５】
【００１６】
【００１７】
＜請求項６記載の発明＞
前記サイドシール部のうちウエスト縁部に、ポリプロピレン又はそのコポリマーの不織布のみが積層されたポリプロピレン領域を有しており、
前記互い違いパターンの領域は、前記ポリプロピレン領域に形成されており、
前記サイドシール部は、前記ウエスト縁部の脚開口部側全体が前記ポリプロピレン領域でない非ポリプロピレン領域とされており、
前記ポリプロピレン領域から前記非ポリプロピレン領域内までは前記溶着部が前記互い違いパターンで並んでいるとともに、これよりも脚開口部側では、互い違いパターンよりも溶着部の幅が広く且つ溶着部の両端が縦方向に揃った整列溶着部からなる前記溶着部が整列パターンで並んでいる、請求項３記載のパンツタイプ使い捨ておむつ。
【００１８】
（作用効果）
一般にパンツタイプ使い捨ておむつのサイドシール部を引き剥がすには、ウエスト開口部から前身頃側及び後身頃側にそれぞれ手を入れて、サイドシール部の前身頃側及び後身頃側を掴み、前身頃と後身頃とを離すように引っ張る。これにより、先ず、手で掴んだ縦方向領域に含まれる複数の溶着部が内方端から外方端に向かって剥がされる。このとき、剥離部分と非剥離部分との境界である剥離線は略縦方向に沿っており、複数の溶着部は略同じ横方向位置で剥がれていく。次に、この手掴み部分の溶着部が剥がされると、手掴み部分の位置よりも脚開口部側に力が加わるようになり、剥離線は外側に倒れていき、途中からは略横向きとなる。
したがって、従来のような整列した横縞状のパターンでは、剥離線が倒れて横向きになるまでは一度に多数の溶着部を剥がす必要があり、素材等の影響によって溶着部の強度が強くなると、引き剥がし易さが損なわれる。
これに対して、上述のような互い違いパターンのサイドシール部を引き剥がす場合、剥離線の向きが縦方向のときには内寄りの溶着部のみが先に剥離し、次に内寄りの溶着部及び外寄りの溶着部の両方、最後に外寄りの溶着部のみが剥離する。よって、引き剥がし開始時及び終了時の剥離力は弱くて済む。また、溶着部は剥離開始時に最も強い力が必要となり、一度剥離し始めると残りの部分は比較的に弱い力で剥離が進行するため、内寄りの溶着部及び外寄りの溶着部の両方を剥離する際も比較的に弱い力で剥離が進行する。
また、剥離線の向きが倒れていくときにも、剥離線が一度に横切る溶着部の本数（つまり一度に剥離する溶着部の本数）の多い状態が、従来の整列した横縞状のパターンよりも短いため、剥離に要する力が弱くて済むような感覚が得られる。
さらに、サイドシール部の全幅の割には各溶着部の横方向長さが短くなるため、剥離線の向きがある程度まで横向きになり、剥離線が一度に横切る溶着部の本数（つまり一度に剥離する溶着部の本数）が一本になった状態でも、同じサイドシール部幅の従来の整列した横縞状のパターンと比較するならば弱い力で引き剥がすことができる。
しかも、サイドシール部の全幅は広く確保でき、全体としてのシール面積も十分に広く確保できるため、装着中の誤剥離も防止し易い。もちろん、互い違いパターンにしてもパターン自体は横縞状であるため、不織布の繊維屑が付着し難く、また付着した繊維屑を取り除きやすい、装着中に誤って破れにくい、設備コストがローコストである、等の利点を損ねることもない。
このように、本発明によれば、横縞状パターンの利点を損ねることなく、装着中の十分な強度と引き剥がし容易性とを両立できるようになる。
また、ウエスト縁部の脚開口部側全体が非ポリプロピレン領域のサイドシール部の場合、シール強度のばらつきを低減するために非ポリプロピレン領域では整列パターンを採用するのが望ましいが、互い違いパターンと整列パターンとの境界をポリプロピレン領域と非ポリプロピレン領域との境界に合わせようとすると、製造上の誤差により整列パターンがポリプロピレン領域に入り、局所的にシール強度が高くなるおそれがある。よって、上述のように、両領域の境界は非ポリプロピレン領域内、特にポリプロピレン領域側の端部（図示形態では第一領域内）とするのが望ましい。
【００１９】
＜請求項６記載の発明＞
前記溶着接合が超音波シールによってなされている、請求項１〜５のいずれか１項に記載のパンツタイプ使い捨ておむつ。
【００２０】
（作用効果）
超音波シールは、ヒートシールと比べて溶着部周囲への熱影響が殆どなく、サイドシール部の素材が伸び易く柔軟に仕上がる反面、素材の伸びやすさが災いして同じシールパターンで比べるとより引き剥がしにくい感じを与える。よって、本発明は超音波シールを採用する場合に好適である。
【発明の効果】
【００２１】
以上のとおり、本発明によれば、横縞状パターンの利点を損ねることなく、装着中の十分な強度と引き剥がし容易性とを両立できるようになる、等の利点がもたらされる。
【図面の簡単な説明】
【００２２】
【図１】パンツタイプ使い捨ておむつの内面を示す、おむつを展開した状態における平面図である。
【図２】パンツタイプ使い捨ておむつの外面を示す、おむつを展開した状態における平面図である。
【図３】図１の３−３断面図である。
【図４】図１の４−４断面図である。
【図５】図１の５−５断面図である。
【図６】パンツタイプ使い捨ておむつの要部のみを示す、おむつを展開した状態における平面図である。
【図７】パンツタイプ使い捨ておむつの要部のみを示す、断面図である。
【図８】パンツタイプ使い捨ておむつの斜視図である。
【図９】サイドシール部の（ａ）要部拡大正面図  及び（ｂ）断面図である。
【図１０】サイドシール部の要部拡大正面図である。
【図１１】サイドシール部の（ａ）要部拡大正面図  及び（ｂ）断面図である。
【図１２】サイドシール部の要部拡大正面図である。
【発明を実施するための形態】
【００２３】
以下、本発明の実施形態について、添付図面を参照しつつ詳説する。
図１〜図８は、パンツタイプ使い捨ておむつの一例１００を示している。このパンツタイプ使い捨ておむつ１００は、製品外面（裏面）をなす外装シート１２と、外装シート１２の内面に貼り付けられた内装体２００とから構成されているものである。符号Ｙは展開状態におけるおむつの全長（前身頃Ｆのウエスト開口部ＷＯの縁から後身頃Ｂのウエスト開口部ＷＯの縁までの縦方向長さ）を示しており、符号Ｘは展開状態におけるおむつの全幅を示している。
【００２４】
内装体２００は、尿等の排泄物等を吸収保持する部分であり、外装シート１２は着用者に装着するための部分である。なお、断面図における点模様部分は各構成部材を接合する接合部分を示しており、ホットメルト接着剤などのベタ、ビード、カーテン、サミットまたはスパイラル塗布などにより形成されるものである。また、「前後方向」とは腹側（前側）と背側（後側）を結ぶ方向を意味し、「幅方向」とは前後方向と直交する方向（左右方向）を意味し、「上下方向」とはおむつ１００の装着状態、すなわちおむつ１００の前身頃両側部と後身頃両側部を重ね合わせるようにおむつ１００を股間部で２つに折った際に胴回り方向と直交する方向、換言すればウエスト開口部ＷＯ側と股間部側とを結ぶ方向を意味する。
【００２５】
（内装体）
内装体２００は任意の形状を採ることができるが、図示の形態では長方形である。内装体２００は、図３〜図５に示されるように、身体側となる表面シート３０と、不透液性バックシート１１と、これらの間に介在された吸収要素５０とを備えているものであり、吸収機能を担う本体部である。符号４０は、表面シート３０を透過した液を速やかに吸収要素５０へ移行させるために、表面シート３０と吸収要素５０との間に設けられた中間シート（セカンドシート）を示しており、符号６０は、内装体２００の両脇に排泄物が漏れるのを防止するために、内装体２００の両側に設けられた、身体側に起立する立体ギャザー６０を示している。
【００２６】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
立体ギャザー６０を設ける場合、表面シート３０の両側部は、不透液性バックシート１１と立体ギャザー６０との間を通して、吸収要素５０の裏側まで回りこませ、液の浸透を防止するために、不透液性バックシート１１及び立体ギャザー６０に対してホットメルト接着剤等により接着するのが好ましい。
【００２７】
（中間シート）
表面シート３０を透過した液を速やかに吸収体へ移行させるために、表面シート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、表面シート３０上を常に乾燥した状態とすることができる。中間シート４０は省略することもできる。
中間シート４０としては、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００２８】
（不透液性バックシート）
不透液性バックシート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。不透液性バックシート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、不透液性バックシート１１として用いることができる。
不透液性バックシート１１は、防漏性を高めるために、吸収要素５０の両側を回りこませて吸収要素５０の表面シート３０側面の両側部まで延在させるのが好ましい。この延在部の幅は、左右それぞれ５〜２０ｍｍ程度が適当である。
また、不透液性バックシート１１の内側、特に吸収体５６側面に、液分の吸収により色が変化する排泄インジケータを設けることができる。
【００２９】
（立体ギャザー）
立体ギャザー６０は、内装体２００の両側部に沿って前後方向全体にわたり延在する帯状部材であり、表面シート３０上を伝わって横方向に移動する尿や軟便を遮断し、横漏れを防止するために設けられているものである。本実施の形態の立体ギャザー６０は、内装体２００の側部から起立するように設けられ、付け根側の部分は幅方向中央側に向かって斜めに起立し、中間部より先端側の部分は幅方向外側に向かって斜めに起立するものである。
より詳細には、立体ギャザー６０は、内装体２００の前後方向長さに等しい長さを有する帯状のギャザーシート６２を幅方向に折り返して二つに折り重ねるとともに、折り返し部分及びその近傍のシート間に、細長状弾性伸縮部材６３を長手方向に沿って伸長状態で、幅方向に間隔をあけて複数本固定してなるものである。立体ギャザー６０のうち先端部と反対側に位置する基端部（幅方向においてシート折り返し部分と反対側の端部）は内装体２００の側縁部の裏面に固定された取付部分６５とされ、この取付部分６５以外の部分は取付部分６５から突出する突出部分６６（折り返し部分側の部分）とされている。また、突出部分６６は、幅方向中央側に向かう付け根側部分と、この付け根側部分の先端から幅方向外側に折り返された先端側部分とからなる。この形態は面接触タイプの立体ギャザーであるが、幅方向外側に折り返されない線接触タイプの立体ギャザー（図示略）も採用することができる。そして、突出部分６６のうち前後方向両端部が倒伏状態で表面シート３０の側部表面に対してホットメルト接着剤やヒートシールにより固定された前後固定部６７とされる一方で、これらの間に位置する前後方向中間部は非固定の自由部分とされ、この自由部分に前後方向に沿う細長状弾性部材６３が伸長状態で固定されている。
ギャザーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、用語「伸長率」は自然長を１００％としたときの値を意味する。また、図示のように、二つに折り重ねたギャザーシートの間に防水フィルム６４を介在させることもできる。
立体ギャザー６０の自由部分に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。
立体ギャザー６０の取付部分６５の固定対象は、内装体２００における表面シート３０、不透液性バックシート１１、吸収要素５０等適宜の部材とすることができる。
かくして構成された立体ギャザー６０では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に当接するように起立する。特に、取付部分６５が内装体２００の裏面側に位置していると、股間部及びその近傍において立体ギャザー６０が幅方向外側に開くように起立するため、立体ギャザー６０が脚周りに面で当接するようになり、フィット性が向上するようになる。
立体ギャザー６０の寸法は適宜定めることができるが、乳幼児用紙おむつの場合は、例えば図７に示すように、立体ギャザー６０の起立高さ（展開状態における突出部分６６の幅方向長さ）Ｗ６は１５〜６０ｍｍ、特に２０〜４０ｍｍであるのが好ましい。また、立体ギャザー６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
なお、図示形態と異なり、内装体２００の左右各側において立体ギャザーを二重に（二列）設けることもできる。
【００３０】
（吸収要素）
吸収要素５０は、吸収体５６と、この吸収体５６の全体を包む包装シート５８とを有する。包装シート５８は省略することもできる。
【００３１】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
吸収体５６は長方形形状でも良いが、図６にも示すように、前端部、後端部及びこれらの間に位置し、前端部及び後端部と比べて幅が狭い括れ部とを有する砂時計形状を成していると、吸収体５６自体と立体ギャザー６０の、脚回りへのフィット性が向上するため好ましい。
また、吸収体の寸法は適宜定めることができるが、前後方向及び幅方向において、内装体の周縁部又はその近傍まで延在しているのが好ましい。なお、符号５６Ｘは吸収体５６の幅を示している。
【００３２】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用でき、例えば５００μｍの標準ふるい（ＪＩＳ Ｚ８８０１−１：２００６）を用いたふるい分け（５分間の振とう）でふるい上に残る粒子の割合が３０重量％以下のものが望ましく、また、１８０μｍの標準ふるい（ＪＩＳ Ｚ８８０１−１：２００６）を用いたふるい分け（５分間の振とう）でふるい上に残る粒子の割合が６０重量％以上のものが望ましい。
高吸収性ポリマー粒子の材料としては、特に限定無く用いることができるが、吸水量（ＪＩＳ  Ｋ７２２３−１９９６「高吸水性樹脂の吸水量試験方法」）が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
高吸収性ポリマー粒子としては、吸水速度（ＪＩＳ  Ｋ７２２４−１９９６高吸水性樹脂の吸水速度試験方法）が４０秒以下のものが好適に用いられる。吸水速度が４０秒を超えると、吸収体５６内に供給された液が吸収体５６外に戻り出てしまう所謂逆戻りを発生し易くなる。
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００３３】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後から食み出させ、この食み出し部分を表裏方向に潰してホットメルト接着剤等の接合手段により接合する形態が好ましい。
【００３４】
（外装シート）
外装シート１２は、股間部から腹側に延在する前身頃Ｆを構成する部分と、股間部から背側に延在する後身頃Ｂを構成する部分とを有し、これら前身頃Ｆの両側部と後身頃Ｂの両側部とが接合されてサイドシール部１３が形成され、図８に示すように、装着者の胴を通すためのウエスト開口部ＷＯ及び脚を通すための左右一対の脚開口部ＬＯが形成されているものである。なお、股間部とは、展開状態における前身頃Ｆのウエスト端縁から後身頃Ｂのウエスト端縁までの前後方向中央を意味し、それよりも前側の部分及び後側の部分が前身頃Ｆ及び後身頃Ｂをそれぞれ意味する。
【００３５】
外装シート１２は、ウエスト開口部ＷＯから脚開口部ＬＯの上端に至る前後方向範囲として定まる胴回り部Ｔと、脚開口部ＬＯを形成する部分の前後方向範囲（前身頃Ｆのサイドシール部１３を有する前後方向領域と後身頃Ｂのサイドシール部１３を有する前後方向領域と間）として定まる中間部Ｌとを有する。胴回り部Ｔは、概念的にウエスト開口部の縁部を形成する「ウエスト縁部」Ｗと、これよりも下側の部分である「ウエスト下部」Ｕとに分けることができる。これらの縦方向の長さは、製品のサイズによって異なり、適宜定めることができるが、一例を挙げると、ウエスト縁部Ｗは１５〜４０ｍｍ、ウエスト下部Ｕは６５〜１２０ｍｍとすることができる。一方、中間部Ｌの両側縁は被着者の脚周りに沿うように括れており、ここが着用者の脚を入れる部位となる。この結果、外装シート１２は、全体としては略砂時計形状をなしている。外装シート１２の括れの程度は適宜定めることができ、図１〜図８に示す形態のように、すっきりとした外観とするために最も幅が狭い部分では内装体２００の幅より狭くすることが好ましいが、最も幅が狭い部分でも内装体２００の幅以上となるように定めてもよい。
【００３６】
外装シート１２は、図３〜図５に示されるように、二枚のシート基材１２Ｓ，１２Ｈをホットメルト接着剤等の接着剤により張り合わせて形成されるものであり、内側に位置する内側シート基材１２Ｈはウエスト開口部ＷＯの縁までしか延在していないが、外側シート基材１２Ｓは内側シート基材１２Ｈのウエスト側の縁を回り込んでその内側に折り返されており、この折り返し部分１２ｒは内装体２００のウエスト側端部上までを被覆するように延在されている。
【００３７】
シート基材１２Ｓ，１２Ｈとしては、シート状のものであれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。特に、外側シート基材１２Ｓとしてポリプロピレン（ＰＰ）又はそのコポリマー（例えばポリエチレンや、エチレンを共重合成分として配合したコポリマー）の不織布（以下、ＰＰ系不織布ともいう）を用いると、外面の手触りが柔軟となるため好ましい。また、内側シート基材１２Ｈとしては、ポリエチレン（ＰＥ）を鞘に、ポリプロピレン（ＰＰ）を芯成分にした芯鞘繊維（ＰＥ／ＰＰ）や、ポリエチレン（ＰＥ）を鞘に、ポリエチレンテレフタレート（ＰＥＴ）を芯成分にした芯鞘繊維（ＰＥ／ＰＥＴ）を好適に用いることができる。
【００３８】
さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その繊維の繊度は１．７〜２．８ｄｔｅｘ程度とするのが好ましく、また、坪量は１０〜３０ｇ／ｍ2程度とするのが好ましい。
【００３９】
また、外装シート１２を通して後述する印刷シート２５のデザインを製品外面から良好に視認できるように、外装シート１２の総目付け（外側シート基材１２Ｓ及び内側シート基材１２Ｈの合計）は２０〜６０ｇ／ｍ2程度であるのが好ましく、外装シート１２のＪＩＳ Ｋ ７１０５に規定される全光線透過率が４０％以上、特に５０％以上となっているのが好ましい。
【００４０】
そして、外装シート１２には、胴回りに対するフィット性を高めるために、両シート基材１２Ｓ，１２Ｈ間に糸ゴム等の細長状弾性伸縮部材１５〜１９が所定の伸長率で設けられている。細長状弾性伸縮部材１５〜１９としては、合成ゴムを用いても、天然ゴムを用いても良い。外装シート１２の両シート基材１２Ｓ，１２Ｈの貼り合せや、その間に挟まれる細長状弾性伸縮部材１５〜１９の固定には種々の塗布方法によるホットメルト接着またはヒートシールや超音波接着を用いることができる。外装シート１２全面を強固に固定するとシートの風合いを損ねるため好ましくない。これらを組合せ、細長状弾性伸縮部材１５〜１９の接着は強固にし、それ以外の部分は接着しないか弱く接着するのが好ましい。
【００４１】
より詳細には、後身頃Ｂ及び前身頃Ｆのウエスト縁部Ｗにおける内側シート基材１２Ｈの内側面と外側シート基材１２Ｓの折り返し部分１２ｒの外側面との間には、幅方向全体にわたり連続するように、複数のウエスト縁部弾性伸縮部材１７が上下方向に間隔を空けて、かつ所定の伸長率で幅方向に沿って伸長された状態で固定されている。また、ウエスト縁部弾性伸縮部材１７のうち、ウエスト下部Ｕに隣接する領域に配設される１本または複数本については、内装体２００と重なっていてもよいし、内装体２００と重なる幅方向中央部を除いてその幅方向両側にそれぞれ設けてもよい。このウエスト縁部弾性伸縮部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸長率１５０〜４００％、特に２２０〜３２０％程度で固定するのが好ましい。また、ウエスト縁部弾性伸縮部材１７は、その全てが同じ太さと伸長率にする必要はなく、例えばウエスト縁部Ｗの上部と下部で弾性伸縮部材の太さと伸長率が異なるようにしてもよい。
【００４２】
また、前身頃Ｆ及び後身頃Ｂのウエスト下部Ｕにおける内側シート基材１２Ｈの外側面と外側シート基材１２Ｓの内側面との間には、内装体２００と重なる幅方向中央部を除いて、その上側および幅方向両側の各部位に、幅方向全体にわたり連続するように、細長状弾性伸縮部材からなるウエスト下部弾性伸縮部材１５，１９が複数本、上下方向に間隔を空けて、かつ所定の伸長率で幅方向に沿って伸長された状態で固定されている。
【００４３】
ウエスト下部弾性伸縮部材１５，１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸長率２００〜３５０％、特に２４０〜３００％程度で固定するのが好ましい。
【００４４】
また、前身頃Ｆ及び後身頃Ｂの中間部Ｌにおける内側シート基材１２Ｈの外側面と外側シート基材１２Ｓの内側面との間には、内装体２００と重なる幅方向中央部を除いて、その幅方向両側の各部位に、幅方向全体にわたり連続するように、細長状弾性伸縮部材からなる中間部弾性伸縮部材１６が複数本、上下方向に間隔を空けて、かつ所定の伸長率で幅方向に沿って伸長された状態で固定されている。
【００４５】
中間部弾性伸縮部材１６，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸長率１５０〜３００％、特に１８０〜２６０％で固定するのが好ましい。
【００４６】
なお、図示のように、ウエスト下部弾性伸縮部材及び中間部弾性伸縮部材１５，１９，１６，１８が、内装体２００と重なる幅方向中央部を除いてその幅方向両側にそれぞれ設けられていると、内装体２００が幅方向に必要以上に収縮することがなく、モコモコと見た目が悪かったり吸収性が低下したりすることがない。この形態には、幅方向両側にのみ弾性伸縮部材が存在する形態の他、内装体２００を横切ってその幅方向一方側から他方側まで弾性伸縮部材が存在しているが、内装体２００と重なる幅方向中央部では弾性伸縮部材が細かく切断され、収縮力が作用せず（実質的には、弾性伸縮部材を設けないことに等しい）に、その幅方向両側のみが収縮力作用部分として構成されている形態も含まれる。もちろんウエスト下部弾性伸縮部材及び中間部弾性伸縮部材１５，１９，１６，１８の配設形態は上記例に限るものではなく、ウエスト下部Ｕの幅方向全体にわたり伸縮力が作用するように、ウエスト下部弾性伸縮部材及び中間部弾性伸縮部材１５，１９，１６，１８の一部または全部を、内装体２００を横切ってその幅方向一方側から他方側まで設けることもできる。
【００４７】
また、各部の細長状弾性伸縮部材１５〜１９が後述する印刷シート２５を横切る場合において、細長状弾性伸縮部材１５〜１９として酸化チタンを含有するゴムを用いる場合には、酸化チタンの含有量が低い（例えば２％以下の）ものあるいは酸化チタンを含有しないものを用いるのが好ましい。
【００４８】
（後処理テープ）
外装シート１２の後身頃Ｂの外面における幅方向中央部には、後処理テープ７０（固定手段）が設けることができる。後処理テープ７０は、おむつ１００を表面シート３０が内側に且つ前身頃Ｆが内側となるように丸め若しくは折り畳んだ状態で固定するためのものである。一般的な後処理テープ７０は、図５に示すように、基端部７１が外装シート１２の外面に接着剤等により固定されるとともに、この基端部７１よりも先端側の部分は三つ折り（断面Ｚ字状）や二つ折りで折り畳まれて、折り重なり部分間が仮止め接着剤７２により剥離可能に固定（仮固定）されている。また、先端部に白色等の不透明色に着色された摘み部７３を有するとともに、この摘み部７３を除く部分が透明または半透明であり、この後処理テープ７０における透明または半透明の部分を通して、後処理テープ７０の外面側から後述するデザインが視認可能になっている。具体的な構造は適宜構成することができるが、図示形態では、全体を透明又は半透明の複数の基材を長手方向に連結して形成するとともに、摘み部７３に着色テープ７４を張り合わせた構造を採用している。
廃棄時には、おむつ１００を表面シート３０が内側になるとともに前身頃Ｆが内側となるように丸め若しくは折り畳んだ後、後処理テープ７０の折り重なり部分を剥離して展ばし、丸めた若しくは折り畳んだおむつ１００の後身頃Ｂからウエスト開口部ＷＯを越えて反対側の外面まで巻き付けるようにして接着剤により固定する。後処理テープ７０は、不使用時にはコンパクトに折り畳まれ、使用時には長尺状に展開できる三つ折り形状のものが特に好適である。
後処理テープ７０等の固定手段は、前身頃Ｆに設けてもよく、後身頃Ｂと前身頃Ｆの両方に設けてもよい。
【００４９】
（印刷シート）
不透液性バックシート１１と外装シート１２との間（外装シート１２の層間を含む）には、印刷によりデザインの施された印刷シート２５が設けられている。外装シート１２を省略し、印刷シート２５が外面に露出する形態とすることもできる。また、図示例の印刷シート２５は、それが配置される身頃よりも小さい面積を有しており、前身頃Ｆ及び後身頃Ｂに個別に設けられているが、前身頃Ｆから股間部を通り後身頃Ｂまで一体的に連続するように設けることもできる。
印刷シート２５の寸法・形状は特に限定されないが、機能を十分なものとするためには十分に面積を大きくするのが好ましく、例えば、印刷シート２５の幅は吸収体５６の幅の５０〜１２０％程度であるのが好ましく、印刷シート２５の長さは少なくとも腹側及び背側の片側で物品全長Ｙの１５〜３０％程度であるのが好ましい。また、印刷シート２５の形状はトリムロスが発生しない点では図示例のような矩形であるのが好ましいが、円形や楕円形、三角形、六角形等の幾何学形状、若しくはデザインの周囲に沿う形状にカットしても良い。
印刷シート２５のシート基材としては、プラスチックフィルムや不織布、紙などを用いることができるが、嵩高く通気性の高い素材が好ましい。プラスチックフィルムを用いる場合は、ムレ防止のため透湿性を有することが望ましい。不織布や紙は透湿性を有するため好ましく、デザイン印刷を施す場合、不織布にあっては平滑性が高く印刷しやすいもの、紙にあっては強度が高くインクの滲み難いものを用いるのが好ましい。特に好ましいものとしては、目付け１５〜３５ｇ／ｍ2程度、厚み０．１〜０．３ｍｍ程度のクレープ紙（薄葉紙）や、目付け１０〜２５ｇ／ｍ2程度、厚み０．１〜０．３ｍｍ程度の不織布（特にスパンボンド部の繊度が１．０〜３．０ｄｔｅｘ程度のスパンボンド不織布やＳＭＳ不織布）を挙げることができる。クレープ紙を用いる場合は、クレープ率は５〜２０％程度、特に５〜１５％程度のものを用いるのが好ましい。クレープ率が２０％以上であると、インクの定着量は大きくなるが滲みが生じてデザイン印刷には適さない。クレープ率が５％以下であるとインクが浸透しにくいため定着量が少ない。
【００５０】
（外装シート分割構造）
上述の例では、前身頃Ｆから後身頃Ｂまでを一体的な外装シート１２により連続的に覆っているが、外装シートが、装着者の胴回りのうち腹側を覆う腹側外装シートと背側を覆う背側外装シートとに分割されており、腹側外装シートの幅方向中央部内面に内装体の前端部がホットメルト接着剤等により連結されるとともに、背側外装シートの幅方向中央部内面に内装体の後端部がホットメルト接着剤等により連結されており、腹側外装シートと背側外装シートとが股間側で連続しておらず、離間されている形態も採用することができる。この離間距離は１５０〜２５０ｍｍ程度とすることができる。この場合、内装体における不透液性バックシートの裏面には、内装体の裏面全体を覆うように、あるいは腹側外装シートと背側外装シートとの間に露出する部分全体を覆うように、股間部外装シートを固定することもできる。股間部外装シートとしては、前述した外装シートに用いられるものと同様の資材を用いることができる。股間部外装シートも本発明の外装シートに相当する。
【００５１】
（サイドシール部）
図９及び図１０に示すように、サイドシール部の溶着パターンは、横方向に沿う所定長さの直線状溶着部１３ｉ，１３ｓ，１３ｗが縦方向に間隔を空けて並ぶ横縞状パターンを基本として、少なくとも一部の縦方向領域については、内方端が隣接溶着部１３ｓよりも突出する内寄りの溶着部１３ｉと、外方端が隣接溶着部１３ｉよりも突出する外寄りの溶着部１３ｓとが縦方向に互い違いに並ぶ、互い違いパターンとされている。溶着部１３ｉ，１３ｓ，１３ｗは直線状である限り端部の形状は特に限定されず、図示形態のような長辺が横方向に沿う長方形状（端部が２直角で形成されている）の他、端部が半円状や三角形状とされていても良い。
【００５２】
互い違いパターンにおける溶着部１３ｉ，１３ｓの寸法及び位置は適宜定めることができるが、乳幼児用途では次の範囲内とするのが好ましい。
・各溶着部の横方向長さｇ（線長）：1.0〜6.0ｍｍ（特に2.0〜4.0ｍｍ）
・各溶着部の縦方向長さｍ（線幅）：0.3〜1.0ｍｍ（特に0.5〜0.8ｍｍ）
・隣接溶着部の縦方向間隔ｊ（小間隔部分）：0.5〜2.0ｍｍ（特に1.0〜1.5ｍｍ）
・隣接溶着部の縦方向間隔ｋ（大間隔部分）：1.0〜4.5ｍｍ（特に2.0〜3.5ｍｍ）
・内寄りの溶着部の突出長さｈ：1.0〜3.0ｍｍ（特に1.0〜2.0ｍｍ）
・外寄りの溶着部の突出長さｉ：1.0〜3.0ｍｍ（特に1.0〜2.0ｍｍ）
【００５３】
互い違いパターンを設ける領域は、引き剥がし容易性を向上させる領域である。このような領域の例としては、ポリプロピレン又はそのコポリマーの不織布のみが積層されたポリプロピレン領域１３Ｐを挙げることができる。前述したとおり、ポリプロピレン又はそのコポリマーの不織布は伸び易く柔軟な肌触りが得られるため好ましい素材であるが、サイドシール部１３にこのようなポリプロピレン領域１３Ｐがあると当該領域のシール強度が他の部位の数倍になるとともに、素材が伸び易いため力が加わりにくくなってしまう。よって、互い違いパターンは、このようなポリプロピレン領域１３Ｐに採用し、引き剥がし容易性を向上させるのが望ましい。
【００５４】
具体的に図示形態の場合、外装シート１２における外側シート基材１２Ｓとして、ＰＰ系不織布を用いた場合、ウエスト縁部ＷがＰＰ系不織布のみを４枚重ねたポリプロピレン領域１３Ｐとなる。サイドシール部１３の引き剥がし容易性において、引き剥がし開始時の剥離しやすさは極めて重要であり、このようにウエスト縁部Ｗにポリプロピレン領域１３Ｐを有し、シール強度が高くなっていると、ユーザーは非常に引き剥がし難く感じるようになる。よって、互い違いパターンは、このようなウエスト縁部Ｗのポリプロピレン領域１３Ｐに採用するのが望ましい。
【００５５】
ポリプロピレン領域１３Ｐはウエスト縁部Ｗ以外に設けられていても良いが、図示形態のようにウエスト縁部Ｗのみとするのが望ましい。またその場合、ウエスト縁部Ｗの脚開口部ＬＯ側全体をポリプロピレン領域１３Ｐでない非ポリプロピレン領域１３Ｎとし、ポリプロピレン領域１３Ｐから非ポリプロピレン領域１３Ｎ内までは互い違いパターンとし、これよりも脚開口部ＬＯ側では、互い違いパターンよりも幅が広く且つ両端が縦方向に揃った整列溶着部１３ｗからなる整列パターンとするのが望ましい。
【００５６】
具体的に図示形態において外側シート基材１２ＳをＰＰ系不織布とした場合、サイドシール部１３は、ウエスト縁部Ｗ以外にポリプロピレン領域１３Ｐを有しておらず、かつウエスト縁部Ｗの脚開口部ＬＯ側に、最も不織布積層枚数が多い第一領域Ｕ１、この第一領域Ｕ１よりも不織布積層枚数が少ない第二領域Ｕ２、さらに第二領域Ｕ２よりも不織布積層枚数が少ない第三領域Ｕ３をこの順に有することになる。より詳細に説明すると、第一領域Ｕ１は、前身頃Ｆ及び後身頃Ｂがそれぞれ外側シート基材１２Ｓ及びその折り返し部分１２ｒ、内側シート基材１２Ｈの３枚積層、計６枚積層となり、第二領域は、前身頃Ｆが外側シート基材１２Ｓ及び内側シート基材１２Ｈの２枚積層、後身頃Ｂが外側シート基材１２Ｓ及びその折り返し部分１２ｒ、内側シート基材１２Ｈの３枚積層、計５枚積層となり、第三領域は、前身頃Ｆ及び後身頃Ｂがそれぞれ外側シート基材１２Ｓ及び内側シート基材１２Ｈの２枚積層、計４枚積層の領域となる。
【００５７】
このようにウエスト縁部Ｗの脚開口部ＬＯ側全体が非ポリプロピレン領域１３Ｎのサイドシール部１３の場合、シール強度のばらつきを低減するために非ポリプロピレン領域１３Ｎでは整列パターンを採用するのが望ましいが、互い違いパターンと整列パターンとの境界をポリプロピレン領域１３Ｐと非ポリプロピレン領域１３Ｎとの境界に合わせようとすると、製造上の誤差により整列パターンがポリプロピレン領域１３Ｐに入り、局所的にシール強度が高くなるおそれがある。よって、上述のように、両領域の境界は非ポリプロピレン領域１３Ｎ内、特にポリプロピレン領域１３Ｐ側の端部（特に図示形態のように第一領域Ｕ１内）とするのが望ましい。
【００５８】
整列パターンにおける整列溶着部１３ｗの寸法及び位置は適宜定めることができるが、乳幼児用途では次の範囲内とするのが好ましい。
・各溶着部１３ｗの横方向長さｎ（線長）：4.0〜8.0ｍｍ（特に5.0〜7.0ｍｍ）
・各溶着部１３ｗの縦方向長さｐ（線幅）：0.3〜1.0ｍｍ（特に0.5〜0.8ｍｍ）
・隣接溶着部１３ｗの縦方向間隔ｒ：0.5〜2.0ｍｍ（特に1.0〜1.5ｍｍ）
【００５９】
サイドシール部１３における溶着接合はヒートシールにより行うことも可能であるが、超音波シールを用いると、ヒートシールと比べて溶着部周囲への熱影響が殆どなく、サイドシール部１３の素材が伸び易く柔軟に仕上がるため好ましい。ただし、超音波シールの場合、サイドシール部１３の素材の伸びやすさが災いして同じシールパターンで比べるとより引き剥がしにくい感じを与える。よって、上述の互い違いパターンは超音波シールを採用する場合に好適である。
【００６０】
一般にパンツタイプ使い捨ておむつのサイドシール部１３を引き剥がすには、ウエスト開口部ＷＯから前身頃Ｆ側及び後身頃Ｂ側にそれぞれ手を入れて、サイドシール部１３の前身頃Ｆ側及び後身頃Ｂ側を掴み、図８に矢印で示すように前身頃Ｆと後身頃Ｂとを離すように引っ張る。これにより、先ず、手で掴んだ縦方向領域（通常ウエスト縁部Ｗ）に含まれる複数の溶着部１３ｉ，１３ｓが内方端から外方端に向かって剥がされる。このとき、剥離部分と非剥離部分との境界である剥離線（図９中に二点鎖線で表示）は略縦方向に沿っており、複数の溶着部１３ｉ，１３ｓは略同じ横方向位置で剥がれていく。次に、この手掴み部分の溶着部１３ｉ，１３ｓが剥がされると、手掴み部分の位置よりも脚開口部ＬＯ側に力が加わるようになり、剥離線は外側に倒れていき、途中からは略横向きとなる。
【００６１】
この際、上述のような互い違いパターンであると、剥離線の向きが縦方向のときには内寄りの溶着部１３ｉのみが先に剥離し、次に内寄りの溶着部１３ｉ及び外寄りの溶着部１３ｓの両方、最後に外寄りの溶着部１３ｓのみが剥離する。よって、引き剥がし開始時及び終了時の剥離力は弱くて済む。また、溶着部は剥離開始時に最も強い力が必要となり、一度剥離し始めると残りの部分は比較的に弱い力で剥離が進行するため、内寄りの溶着部１３ｉ及び外寄りの溶着部１３ｓの両方を剥離する際も比較的に弱い力で剥離が進行する。また、剥離線の向きが倒れていくときにも、剥離線が一度に横切る溶着部の本数（つまり一度に剥離する溶着部の本数）の多い状態が、従来の整列した横縞状のパターンよりも短いため、剥離に要する力が弱くて済むような感覚が得られる。特に、互い違いパターンが、図示形態のように、溶着部２〜４つおきに縦方向間隔が相対的に広い大間隔部分ＢＤを有していると、剥離線の向きが倒れていくときに、剥離線が一度に横切る溶着部の本数（つまり一度に剥離する溶着部の本数）の多い状態が更に短くなり、より弱い力で剥離が進行する感覚が得られる。この大間隔部分ＢＤの縦方向間隔はそれ以外の間隔と比較して１．２〜２．５倍程度とすることが望ましい。
【００６２】
さらに、サイドシール部１３の全幅の割には各溶着部１３ｉ，１３ｓの横方向長さが短くなるため、剥離線の向きがある程度まで横向きになり、剥離線が一度に横切る溶着部１３ｉ，１３ｓの本数（つまり一度に剥離する溶着部１３ｉ，１３ｓの本数）が一本になった状態でも、同じサイドシール部幅で比較するならば従来の整列した横縞状のパターンよりも弱い力で引き剥がすことができる。
【００６３】
しかも、サイドシール部１３の全幅は広く確保でき、全体としてのシール面積も十分に広く確保できるため、装着中の誤剥離も防止し易い。もちろん、互い違いパターンにしてもパターン自体は横縞状であるため、不織布の繊維屑が付着し難く、また付着した繊維屑を取り除きやすい、装着中に誤って破れにくい、設備コストがローコストである、等の利点を損ねることもない。
【実施例】
【００６４】
図９及び図１０に示す本発明に係るサイドシール部１３を備えた試験用のパンツタイプ使い捨ておむつと、図１１及び図１２に示す比較例としてのサイドシール部１３を備えた試験用のパンツタイプ使い捨ておむつを製造し、以下の試験及び評価を行った。なお、本発明に係るサイドシール部１３の各部の寸法は次のとおりとした。
・内寄りの溶着部及び外寄りの溶着部の横方向長さｇ（線長）：４ｍｍ
・内寄りの溶着部における外寄りの溶着部に対する突出長さｈ：１．３ｍｍ
・外寄りの溶着部における内寄りの溶着部に対する突出長さｉ：１．３ｍｍ
・隣接溶着部の縦方向間隔ｊ，ｒ（小間隔部分）：１．３ｍｍ
・隣接溶着部の縦方向間隔ｋ（大間隔部分）：３ｍｍ
・各溶着部の縦方向長さｍ，ｐ（線幅）：０．８ｍｍ
・整列パターンにおける溶着部の横方向長さｎ（溶着最大幅）：７ｍｍ
【００６５】
＜剥離強度試験＞
パンツタイプ使い捨ておむつにおける内装体２００よりも左側及び右側の部分のうち、ウエスト開口部ＷＯの縁から脚開口部ＬＯ側に幅２５ｍｍの部分（以下、上部ともいう）と、脚開口部ＬＯの上端からウエスト開口部ＷＯ側に幅２５ｍｍの部分（以下、下部ともいう）とを切り取りサンプルを作製する。サンプルのサイドシール部１３と直交する方向（おむつの周方向）が引っ張り方向となるように、サンプルの前身頃Ｆ側及び後身頃Ｂ側を、引張試験機（例えばＳＨＩＭＡＤＺＵ社製のＡＯＵＴＧＲＡＰＨＡＧＳ−Ｇ１００Ｎ）の両チャックで掴み、室温で、チャック間５０ｍｍ、引張速度５００ｍｍ／ｍｉｎの条件で引張試験を行い、破断強度をシール強度として測定した。２０個のおむつについて測定を行い、平均値及び３σ等を算出した。
試験結果を表１に示した。なお、表１中のｇｓｍはｇ／ｍ2、ＰＰはポリプロピレン、ＰＰコポリマーはエチレンを共重成分としたもの、ＰＥ／ＰＰバイコンは、ポリエチレン（ＰＥ）を鞘に、ポリプロピレン（ＰＰ）を芯成分にした芯鞘繊維、ＳＳ不織布及びＳＳＳ不織布はスパンボンド層がそれぞれ２層、３層の積層不織布、ＳＳＭＳ不織布は２層のスパンボンド層と１層のスパンボンド層との間にメルトブローン層が１層挟まれた積層不織布をそれぞれ意味する。表１に示されるとおり、本発明にかかるサンプルNo.2〜No.6は、比較例であるサンプルNo.1と比べて、上部のシール強度が低下するとともに、上部及び下部のばらつきが少ない（３σが小さい）結果となった。
【００６６】
【表１】
0005931423.tif 000002
【００６７】
＜官能評価＞
ベビー用パンツタイプ使い捨ておむつのユーザーである５人の母親に、サイドシール部の引き剥がしやすさについて５点満点（5点：とても破きやすい、4点：やや破きやすい、3点：ふつう、2点：やや破きにくい、1点：とても破きにくい）で評価してもらった。試験結果を表２に示した。本発明にかかるサンプルNo.2〜No.6は、比較例であるサンプルNo.1と比べて、格段に引き剥がし易いとの評価が得られた。
【００６８】
【表２】
0005931423.tif 000003
【産業上の利用可能性】
【００６９】
本発明は、サイドシール部を有するパンツタイプ使い捨ておむつに利用できるものである。
【符号の説明】
【００７０】
１１…不透液性バックシート、１２…外装シート、１２ｒ…折り返し部分、１２Ｓ…外側シート基材、１２Ｈ…内側シート基材、１３…サイドシール部、１３ｉ…内寄りの溶着部、１３ｓ…外寄りの溶着部、１３ｗ…整列溶着部、１３Ｐ…ポリプロピレン領域、１３Ｎ内…非ポリプロピレン領域、２５…印刷シート、２００…内装体、３０…トップシート、４０…中間シート、５０…吸収要素、５６…吸収体、５８…包装シート、６０…立体ギャザー、６２…ギャザーシート、Ｆ…前身頃、Ｂ…後身頃、Ｗ…ウエスト縁部、ＷＯ…ウエスト開口部、ＬＯ…脚開口部、ＢＤ…大間隔部分。
【図１】
0005931423.tif 000004
【図２】
0005931423.tif 000005
【図３】
0005931423.tif 000006
【図４】
0005931423.tif 000007
【図５】
0005931423.tif 000008
【図６】
0005931423.tif 000009
【図７】
0005931423.tif 000010
【図８】
0005931423.tif 000011
【図９】
0005931423.tif 000012
【図１０】
0005931423.tif 000013
【図１１】
0005931423.tif 000014
【図１２】
0005931423.tif 000015